(57)【要約】      （修正有）【課題】ティッシュ使用後にごみ箱を探す不便さを解消したティッシュボックス保持具付きごみ箱を提供する。【解決手段】ごみ箱本体の側、又は底の部分に溝、或いは、孔を設けテイッシュボックス保持具を差し込む仕様により、保持具の取り外し、スライド収納を可能としたごみ箱、或いはごみ箱本体にベルト形式の保持具をマジックテープ（登録商標）、ホック、クリップ等により脱着可能としたごみ箱、もしくは、山型、コの字型、或いは半円形の保持具の先端に回転軸の機能をもたせ折り畳み可能とし、不使用時や輸送、配送時にコンパクトとなるテイッシュボックス保持具付きごみ箱である。【選択図】図１
0003144445.tif 000002
【実用新案登録請求の範囲】
【請求項１】
ごみ箱本体の側、或いは底の部分に（１）テイッシュボックス保持具を差し込む溝、或いは、孔を設け、（２）Ｌ型、Ｃ（チャンネル）型、コの字型、等の保持具を差し込み装着することによりテイッシュボックスを保持可能とし、（３）テイッシュボックスを取り付けないときは保持具を取り外し、或いは、スライド収納することを可能としたテイッシュボックス保持機能付きごみ箱。
【請求項２】
ごみ箱本体に（１）マジックテープ（登録商標）、ホック、クリップ等により（２）布，革、金属、樹脂等でできたベルトを取り付け、（３）テイッシュボックスを保持、或いは、取り外し可能としたテイッシュボックス保持機能付きごみ箱。
【請求項３】
ごみ箱本体に（１）ワイヤー、金属板、樹脂等より作られた山型、コの字型、或いは、半円形等の形状で、（２）その両端が回転軸の機能のできる丸棒形状の保持具を（３）ごみ箱本体の延長された側板に開けられた孔、又は（４）保持具を取り付ける孔を有する突起物に差し込み、回転可動とすることにより折りたたみ可能とした、テイッシュボックス保持機能付きごみ箱。
【考案の詳細な説明】
【技術分野】
【０００１】
本考案はテイッシュボックスの取り付けができるごみ箱である。
【背景技術】
【０００２】
従来、ごみ箱とテイッシュボックスは別々に置かれテイッシュを使う時近くにごみ箱がなく不便である。
【考案の開示】
【考案が解決しようとする課題】
【０００３】
従来、ごみ箱とテイッシュボックスは別々に置かれ使用後のごみ処理に問題点があった。
【課題を解決するための手段】
【０００４】
本考案は、従来の問題点を解決するための手段として、ごみ箱にテイッシュボックスを保持でき、しかも、保持具の取り外し、スライド収納、或いは、折りたたみ収納を可能とすることにより問題を解決するものである。
【考案の効果】
【０００５】
上述のように、本考案のテイッシュボックス保持具付きごみ箱はテイッシュを使用後、即ごみ箱が使え、しかも保持具が取り外し、スライド収納、或いは、折りたたみ収納が可能なため、使用しないときはコンパクトとなり、製造、販売時に於いても搬送費が削減出来る効果がある。
【考案を実施するための最良の形態】
【０００６】
以下、図１〜８を参照して本考案の実施の形態に係る構造を説明する。
【実施例】
【０００７】
以下、添付図面に従って実施の形態に係る構造を説明する。図１は請求項１に該当するごみ箱本体１の側、又は下部に設けられた溝、或いは孔１１にＬ型テイッシュボックス保持具２を差し込み装着し、テイッシュボックス３を取り付けた形態を説明した斜視図である。保持具２はテイッシュボックス３を装着しない時は取り外すか、もしくはごみ箱１の側矢印方向１２にスライド収納可能なものである。テイッシュボックス３を安定保持するため、ずれ止め４が付く場合もあり、保持具の形状は図示に限定するものではない。テイッシュボックス保持も１個に限定せず、複数保持の場合も含まれる。
【０００８】
図２は請求項１に該当するごみ箱本体１の側、又は下部に設けられた溝又は、孔にワイヤーＬ型の保持具８を差し込み装着し、テイッシュボックス３をごみ箱本体１の横に取り付けた形態を示す斜視図である。ワイヤー形状、取り付け位置は図示に限定するものではない。
【０００９】
図３は請求項２に該当する脱着可能のベルト形式の保持具９でテイッシュボックス３を保持した形態を説明した斜視図である。保持具の取り付け、脱着はマジックテープ（商標登録），ホック，クリップ等１０で行う。尚、ベルトの本数、形状、材質、取り付け位置、方法は図示に限定するものではない。
【００１０】
図４は請求項３に該当する、ごみ箱本体１の側板を延長し保持具を取り付ける孔１４を設けるか、もしくは保持具を取り付ける孔を有する突起１６を設け、保持具１３の取り付け孔１４を基点に上下に回転可動することにより、折りたたみ収納のできる保持具の形態を示す斜視図である。保持具１３、突起１６の形状は図示に限定するものではなく、上下の保持具１３が連動する連結棒１５が付く場合もある。保持具取り付け用突起１６を別途、後付けする場合も当請求項に含まれる。
【００１１】
図５は請求項１に該当する、ごみ箱１の横側面にテイッシュボックス保持具２を設置しテイッシュボックス３を横向けに取り付けた形態を示す斜視図である。保持具の形状、取り付け方向、方法は図示に限定するものではない。
【００１２】
図６は請求項１に該当する、ごみ箱１の横側面にテイッシュボックス３が横向けに２個収納可能な保持具２を設置した形態を示す斜視図である。複数個収納することによりテイッシュボックスの欠品が発見、予防できる効果がある。上記同様、保持具の形状、取り付け方向、方法は図示に限定するものではない。
【００１３】
図７は請求項１に該当する、ごみ箱１の下部にテイッシュボックス保持具２の保持、スライド収納のための溝１１、或いは孔を設けた参考例を示す斜視図である。溝、及び、孔の形状、位置は図示に限定するものではない。又、ごみ箱本体１の安定を増す為、保持具支え５を付ける場合もある。保持具取り付け溝、孔１１を別途後付けする場合も当請求項に含まれる。
【００１４】
図８は請求項１のＣ型保持具７及び、コの字型６の形状を示した斜視図である。保持具６は溝、以外にホック、マジックテープ（登録商標）、金具１０等で取り付けられる場合も含まれる。保持具形状、取り付け溝１１の形状、取り付け形状、取り付け位置は図示に限定するものではなく、保持具７の鍔部分１７が外向けの場合、又、保持具６，７の取り付溝、孔１１を別途、後付けする場合も当請求項に含まれる。
【図面の簡単な説明】
【００１５】
【図１】本考案のＬ型テイッシュボックス保持具の形態を示す斜視図である。
【図２】本考案のワイヤー式テイッシュボックス保持具を示す斜視図である。
【図３】本考案のベルト式テイッシュボックス保持具を示す斜視図である。
【図４】本考案のワイヤー折りたたみ式保持具を示す斜視図である。
【図５】本考案の横付けＬ型テイッシュボックス保持具を示す斜視図である。
【図６】本考案のテイッシュボックス２個収納Ｌ型保持具の斜視図である。
【図７】本考案のＬ型保持具形状、及び、取り付け溝の参考斜視図である。
【図８】本考案のＣ型、コの字型の保持具、取り付け溝の参考斜視図である。
【符号の説明】
【００１６】
１    ごみ箱本体
２    Ｌ型テイッシュボックス保持具
３    テイッシュボックス
４    ずれ止め
５    支え
６    コの字型保持具
７    Ｃ型保持具
８    ワイヤーＬ型保持具
９    ベルト式保持具
１０  保持具止め  
１１  保持具取り付け溝、または、孔
１２  保持具のスライド方向を示す矢印
１３  ワイヤー保持具
１４  保持具取り付け孔
１５  連結棒
１６  保持具取り付け用突起
１７  Ｃ型保持具鍔部分
【図１】
0003144445.tif 000003
【図２】
0003144445.tif 000004
【図３】
0003144445.tif 000005
【図４】
0003144445.tif 000006
【図５】
0003144445.tif 000007
【図６】
0003144445.tif 000008
【図７】
0003144445.tif 000009
【図８】
0003144445.tif 000010